(57)【特許請求の範囲】
【請求項１】
ユーザ端末において行われるプロフィール提供方法であって、
メッセンジャーアプリケーションで実行されるプロフィールにアクセスするためのプロフィール接続識別子を提供するステップと、
前記プロフィール接続識別子が選択された場合に、プロフィールのカバーページを表示するステップと、
を含み、
前記カバーページは、前記メッセンジャーアプリケーションとは異なるアプリケーションから提供されるコンテンツに関連するステータスメッセージを提供し、
前記ステータスメッセージが選択された場合、前記メッセンジャーアプリケーションが、前記ステータスメッセージに対応するコンテンツを提供するアプリケーションに切り替えられた後、前記切り替えられたアプリケーションを介してステータスメッセージに対応するコンテンツが提供され、
前記ステータスメッセージは、前記コンテンツに対する利用状態、前記コンテンツの人気度、前記コンテンツの属性、前記コンテンツのアップデート有無のうちの少なくとも１つを示す
プロフィール提供方法。
【請求項２】
前記メッセンジャーアプリケーションと前記複数のアプリケーションは、互いに同一のアカウント又は同一のユーザＩＤで設定される請求項１に記載のプロフィール提供方法。
【請求項３】
前記プロフィール接続識別子が選択された場合、前記プロフィールを構成する複数のコンテンツページのうちいずれか１つのコンテンツページを表示するステップをさらに含み、
前記コンテンツページは、前記メッセンジャーアプリケーションとは異なるアプリケーションから提供されるコンテンツが表示されるページを含む請求項１に記載のプロフィール提供方法。
【請求項４】
前記表示されたコンテンツページに対するユーザの入力に応じて前記表示されたコンテンツページを異なるコンテンツページに切り替えるステップをさらに含む請求項３に記載のプロフィール提供方法。
【請求項５】
前記切り替えるステップは、前記ユーザの入力方向によって互いに異なるアプリケーションに関連するコンテンツが表示されるコンテンツページに切り替える請求項４に記載のプロフィール提供方法。
【請求項６】
前記複数のコンテンツページは、アプリケーションが提供するコンテンツ中のユーザの選択、コンテンツの最新性、コンテンツの人気度、代表コンテンツ、コンテンツの活用履歴、及びコンテンツのカテゴリーのうちの少なくとも１つの基準によって選択されたコンテンツが表示されるページを含む請求項３に記載のプロフィール提供方法。
【請求項７】
前記複数のコンテンツページは、ユーザの選択、コンテンツページに表示されるコンテンツの更新時、コンテンツの活用履歴、コンテンツの人気度のうちの少なくとも１つの基準によって表示される順序が決定される請求項３に記載のプロフィール提供方法。
【請求項８】
前記コンテンツページを表示するステップは、前記プロフィール接続識別子が選択された場合に、前記プロフィールのユーザに関連する個人情報、チャットインターフェース、電話インターフェース、友人追加インターフェースのうちの少なくとも１つを含むカバーページを表示する請求項３に記載のプロフィール提供方法。
【請求項９】
前記コンテンツページを表示するステップは、前記プロフィールを構成するコンテンツページのうち最初のコンテンツページに他のコンテンツページを介して表示されるコンテンツのステータスメッセージを表示する請求項３に記載のプロフィール提供方法。
【請求項１０】
前記コンテンツページを表示するステップは、複数のコンテンツページのうちユーザ端末に表示されないコンテンツページに移動できる移動識別子をユーザ端末に表示したコンテンツページに表示する請求項３に記載のプロフィール提供方法。
【請求項１１】
前記表示されるコンテンツは、前記メッセンジャーアプリケーションと連動されるメッセンジャーサーバに予め格納される請求項３に記載のプロフィール提供方法。
【請求項１２】
プロフィールのユーザの要求に応じて、前記プロフィールを構成する複数のコンテンツページ、前記コンテンツページを介して表示されるコンテンツ、及び前記コンテンツに関連するアプリケーションのうちの少なくとも１つを管理するステップをさらに含む請求項３に記載のプロフィール提供方法。
【請求項１３】
前記管理するステップは、前記ユーザが選択したアプリケーションがユーザ端末にインストールされていない場合、前記アプリケーションに関連するインストール誘導メッセージを提供する請求項１２に記載のプロフィール提供方法。
【請求項１４】
前記コンテンツページは、前記コンテンツのアプリケーションを介して収集されたコンテンツの人気度、推薦度、又は使用情報のうちの少なくとも１つを表示する請求項１に記載のプロフィール提供方法。
【請求項１５】
ユーザ端末において行われるプロフィール提供方法であって、
メッセンジャーアプリケーションを介してチャットに参加したユーザのプロフィールに対する要求を受信するステップと、
前記要求に応答してチャットに参加したユーザのプロフィールのカバーページを表示するステップと、
を含み、
前記カバーページは、前記メッセンジャーアプリケーションとは異なるアプリケーションから提供されるコンテンツに関連するステータスメッセージを提供し、
前記ステータスメッセージが選択された場合、前記メッセンジャーアプリケーションが、前記ステータスメッセージに対応するコンテンツを提供するアプリケーションに切り替えられた後、前記切り替えられたアプリケーションを介してステータスメッセージに対応するコンテンツが提供され、
前記ステータスメッセージは、前記コンテンツに対する利用状態、前記コンテンツの人気度、前記コンテンツの属性、前記コンテンツのアップデート有無のうちの少なくとも１つを示す
プロフィール提供方法。
【請求項１６】
前記プロフィールに対する要求に応じて、プロフィールを構成する複数のコンテンツページのうちいずれか１つのコンテンツページを表示するステップをさらに含む請求項１５に記載のプロフィール提供方法。
【請求項１７】
前記メッセンジャーアプリケーションと前記複数のアプリケーションは、互いに同一のアカウント又は同一のユーザＩＤで設定される請求項１５に記載のプロフィール提供方法。
【請求項１８】
前記コンテンツページを表示するステップは、前記チャットウィンドウがグループチャットの場合、前記ユーザの入力に対応してグループのプロフィールを構成する複数のコンテンツページのうちのいずれか１つのコンテンツページを表示する請求項１６に記載のプロフィール提供方法。
【請求項１９】
前記コンテンツページを表示するステップは、前記チャットウィンドウがグループチャットの場合、前記ユーザの入力に対応してグループチャットに参加したメンバーのうちのいずれか１つのメンバーのプロフィールを構成する複数のコンテンツページのうちのいずれか１つのコンテンツページを表示する請求項１６に記載のプロフィール提供方法。
【請求項２０】
ユーザ端末において行われるプロフィール提供方法であって、
メッセンジャーアプリケーションで実行されるプロフィールにアクセスするためのプロフィール接続識別子を提供するステップと、
前記プロフィール接続識別子が選択された場合に、前記プロフィールのカバーページを表示するステップと、
を含み、
前記表示するステップは、前記プロフィールに対応する第１ユーザと前記プロフィール接続識別子を選択した第２ユーザとが友人関係であるか否かに応じて、プロフィールのカバーページを相異なるように表示し、
前記カバーページは、前記メッセンジャーアプリケーションとは異なるアプリケーションから提供されるコンテンツに関連するステータスメッセージを提供し、
前記ステータスメッセージが選択された場合、前記メッセンジャーアプリケーションが、前記ステータスメッセージに対応するコンテンツを提供するアプリケーションに切り替えられた後、前記切り替えられたアプリケーションを介してステータスメッセージに対応するコンテンツが提供され、
前記ステータスメッセージは、前記コンテンツに対する利用状態、前記コンテンツの人気度、前記コンテンツの属性、前記コンテンツのアップデート有無のうちの少なくとも１つを示す
プロフィール提供方法。
【請求項２１】
前記コンテンツページを表示するステップは、
ユーザが第１のタイプの場合、前記メッセンジャーアプリケーションとは異なる複数のアプリケーションに関連するコンテンツが表示されるコンテンツページを表示するステップと、
ユーザが第２のタイプの場合、前記プロフィールのユーザが設定した取引誘導のためのコンテンツが表示されるコンテンツページを表示するステップと、
を含む請求項２０に記載のプロフィール提供方法。
【請求項２２】
メッセンジャーアプリケーションで実行されるプロフィールにアクセスするためのプロフィール接続識別子を提供する識別子提供部と、
前記プロフィール接続識別子が選択された場合に、プロフィールのカバーページを表示するページ表示部と、
を含み、
前記カバーページは、前記メッセンジャーアプリケーションとは異なるアプリケーションから提供されるコンテンツに関連するステータスメッセージを提供し、
前記ステータスメッセージが選択された場合、前記メッセンジャーアプリケーションが、前記ステータスメッセージに対応するコンテンツを提供するアプリケーションに切り替えられた後、前記切り替えられたアプリケーションを介してステータスメッセージに対応するコンテンツが提供され、
前記ステータスメッセージは、前記コンテンツに対する利用状態、前記コンテンツの人気度、前記コンテンツの属性、前記コンテンツのアップデート有無のうちの少なくとも１つを示す
ユーザ端末。
【請求項２３】
前記メッセンジャーアプリケーションと前記複数のアプリケーションは、互いに同一のアカウント又は同一のユーザＩＤで設定される請求項２２に記載のユーザ端末。
【請求項２４】
前記コンテンツページ表示部は、前記プロフィール接続識別子が選択された場合、前記プロフィールを構成する複数のコンテンツページのうちいずれか１つのコンテンツページを表示し、
前記コンテンツページは、前記メッセンジャーアプリケーションとは異なるアプリケーションから提供されるコンテンツが表示されるページを含む請求項２２に記載のユーザ端末。
【請求項２５】
前記コンテンツページ表示部は、前記表示されたコンテンツページに対するユーザの入力に応じて前記表示されたコンテンツページを異なるコンテンツページに切り替える請求項２４に記載のユーザ端末。
【請求項２６】
前記コンテンツページ表示部は、複数のコンテンツページのうちユーザ端末に表示されないコンテンツページに移動できる移動識別子をユーザ端末に表示されたコンテンツページに表示する請求項２４に記載のユーザ端末。
【請求項２７】
プロフィールのユーザの要求に応じて、前記プロフィールを構成する複数のコンテンツページ、前記コンテンツページを介して表示するコンテンツ、及び前記コンテンツに関連するアプリケーションのうちの少なくとも１つを管理するプロフィール管理部をさらに含む請求項２４に記載のユーザ端末。
【請求項２８】
前記プロフィール管理部は、前記ユーザが選択したアプリケーションがユーザ端末にインストールされていない場合、前記アプリケーションに関連するインストール誘導メッセージを提供する請求項２７に記載のユーザ端末。
【請求項２９】
メッセンジャーアプリケーションを介してチャットに参加したユーザのプロフィールに対する要求を受信する検出部と、
前記要求に応答してチャットに参加したユーザのプロフィールのカバーページを表示するページ表示部と、
を含み、
前記カバーページは、前記メッセンジャーアプリケーションとは異なるアプリケーションから提供されるコンテンツに関連するステータスメッセージを提供し、
前記ステータスメッセージが選択された場合、前記メッセンジャーアプリケーションが、前記ステータスメッセージに対応するコンテンツを提供するアプリケーションに切り替えられた後、前記切り替えられたアプリケーションを介してステータスメッセージに対応するコンテンツが提供され、
前記ステータスメッセージは、前記コンテンツに対する利用状態、前記コンテンツの人気度、前記コンテンツの属性、前記コンテンツのアップデート有無のうちの少なくとも１つを示す
ユーザ端末。
【請求項３０】
メッセンジャーアプリケーションで実行されるプロフィールにアクセスするためのプロフィール接続識別子を提供する識別子提供部と、
前記プロフィール接続識別子が選択された場合に、前記プロフィールのカバーページを表示するページ表示部と、
を含み、
前記ページ表示部は、前記プロフィールに対応する第１ユーザと前記プロフィール接続識別子を選択した第２ユーザとが友人関係であるか否かに応じて、プロフィールのカバーページを相異なるように表示し、
前記カバーページは、前記メッセンジャーアプリケーションとは異なるアプリケーションから提供されるコンテンツに関連するステータスメッセージを提供し、
前記ステータスメッセージが選択された場合、前記メッセンジャーアプリケーションが、前記ステータスメッセージに対応するコンテンツを提供するアプリケーションに切り替えられた後、前記切り替えられたアプリケーションを介してステータスメッセージに対応するコンテンツが提供され、
前記ステータスメッセージは、前記コンテンツに対する利用状態、前記コンテンツの人気度、前記コンテンツの属性、前記コンテンツのアップデート有無のうちの少なくとも１つを示す
ユーザ端末。
【発明の詳細な説明】
【技術分野】
【０００１】
本発明は、ユーザのプロフィールを提供する方法及びその方法を実行するユーザ端末に関し、より詳しくは、複数のコンテンツページで構成されたプロフィールを表示してユーザの入力に応じてコンテンツページを切り替える方法及び装置に関する。
【背景技術】
【０００２】
近年、スマートフォンなどのモバイルデバイスが大衆に利用されるようになり、スマートフォンによる様々なアプリケーションの利用も急増した。特に、友だちの間で手軽にかつ迅速にメッセージを伝達できるモバイルメッセンジャー（ｍｅｓｓｅｎｇｅｒ）の利用も明らかに増加した。
【０００３】
このような事情に基づいて、モバイルメッセンジャーは、スマートフォンで最も利用頻度が高く、また電話よりも相対的により頻繁に友だちとコミュニケーションができるアプリケーションとして用いられることによって、モバイルメッセンジャーを介してユーザ自身を知らせて紹介できるサービスが要求されている。
【０００４】
そのために、ツイッター（ｔｗｉｔｔｅｒ）のようなマイクロブログ、サイワールド（ｃｙｗｏｒｌｄ）のようなミニホームページ、フェイスブック（ｆａｃｅｂｏｏｋ）のような個人ソーシャルネットワークサービスなどのようにユーザ自身を知らせる様々なサービスが提供されているが、このようなサービスは、モバイルメッセンジャーと直接連動されず、また別に実行しなければならないため、モバイルメッセンジャー機能を補助的なサービスとして提供する。
【０００５】
それだけでなく、現在のモバイルメッセンジャーは、単に、ユーザ名、ＩＤ、ステータスメッセージ、又は電話番号のような基本的な情報だけでユーザを紹介しているため、ユーザの紹介の要求を満足させることが困難な状況にある。
【０００６】
したがって、モバイルメッセンジャーを介しながらも、より簡単かつ様々な方式でユーザ自身が友だちに紹介できる方案が必要とされる。
【発明の概要】
【発明が解決しようとする課題】
【０００７】
本発明の課題の１つは、複数のアプリケーションに関連するコンテンツが表示されるコンテンツページで構成されたプロフィールを、メッセンジャーアプリケーションを介して提供することによって、メッセンジャーアプリケーションを利用しているユーザがより便利に、自分又は友だちのプロフィールにアクセスできる方法及び装置を提供することである。
【０００８】
本発明の課題の１つは、複数のアプリケーションに関連するコンテンツが表示されるコンテンツページで構成されたプロフィールをメッセンジャーアプリケーションを介して提供することによって、メッセンジャーアプリケーションを利用しているユーザがより様々な方式で自身を知らせることができる方法及び装置を提供することである。
【０００９】
本発明の課題の１つは、ユーザが利用しているアプリケーションが提供するコンテンツに前記アプリケーションがインストールされていない友だちがアクセスできるように友だちにアプリケーションのインストールを誘導することによって、アプリケーションをより容易かつ迅速に配布、拡散できる方法及び装置を提供することである。
【００１０】
本発明の課題の１つは、友だちのタイプが広告主の場合、プロフィールを構成するコンテンツページを介して広告を表示できるようにすることによって、プロフィールを介して追加的な収益構造を創りだすことができる方法及び装置を提供することである。
【００１１】
本発明の課題の１つは、ユーザが利用しているコンテンツの状態を、プロフィールを構成するコンテンツページを介して表示し、友だちがコンテンツに関心を持ってアクセスするようにすることによって、コンテンツの消費を拡大させることができる方法及び装置を提供することである。
【課題を解決するための手段】
【００１２】
本発明の一実施形態に係るプロフィール提供方法は、メッセンジャーアプリケーションで実行されるプロフィールにアクセスするためのプロフィール接続識別子を提供するステップと、前記プロフィール接続識別子が選択された場合ン、プロフィールを構成する複数のコンテンツページのうちのいずれか１つのコンテンツページを表示するステップとを含み、前記複数のコンテンツページは、前記メッセンジャーアプリケーションとは異なる複数のアプリケーションに関連するコンテンツが表示されるページを含む。
【００１３】
本発明の一実施形態に係るプロフィール提供方法において、前記メッセンジャーアプリケーションと前記複数のアプリケーションは、互いに同一のアカウント又は同一のユーザＩＤで設定されてもよい。
【００１４】
本発明の一実施形態に係るプロフィール提供方法は、前記表示されたコンテンツページに対するユーザの入力に対応して前記表示されたコンテンツページと他のコンテンツページに切り替えるステップをさらに含んでもよい。
【００１５】
本発明の一実施形態に係るプロフィール提供方法において、前記切り替えるステップは、前記ユーザ端末でのフリック、ユーザ端末に配置されたボタン押す、ユーザ端末に表示されたマークを押す、及びユーザ端末に表示されたホイールを回すうちのいずれか１つのユーザの入力に対応してコンテンツページを切り替えてもよい。
【００１６】
本発明の一実施形態に係るプロフィール提供方法において、前記切り替えるステップは、前記ユーザの入力方向によって互いに異なるアプリケーションに関連するコンテンツが表示されるコンテンツページに切り替えてもよい。
【００１７】
本発明の一実施形態に係るプロフィール提供方法において、前記複数のコンテンツページは、アプリケーションが提供するコンテンツ中のユーザの選択、コンテンツの最新性、コンテンツの人気度、代表コンテンツ、コンテンツの活用履歴、及びコンテンツのカテゴリーのうちの少なくとも１つの基準によって選択されたコンテンツが表示されるページを含んでもよい。
【００１８】
本発明の一実施形態に係るプロフィール提供方法において、前記複数のコンテンツページは、ユーザの選択、コンテンツページに表示されるコンテンツの更新時、コンテンツの活用履歴、コンテンツの人気度のうちの少なくとも１つの基準によって表示される順序が決定されてもよい。
【００１９】
本発明の一実施形態に係るプロフィール提供方法において、前記コンテンツページを表示するステップは、前記プロフィール接続識別子が選択された場合に、前記プロフィールのユーザに関連する個人情報、チャットインターフェース、電話インターフェース、友だち追加インターフェースのうちの少なくとも１つを含むカバーページを表示してもよい。
【００２０】
本発明の一実施形態に係るプロフィール提供方法において、前記コンテンツページを表示するステップは、前記プロフィールを構成するコンテンツページのうち最初のコンテンツページに他のコンテンツページを介して表示されるコンテンツの状態又はコンテンツに関連するアプリケーションの情報を示すメッセージを表示してもよい。
【００２１】
本発明の一実施形態に係るプロフィール提供方法において、前記コンテンツページを表示するステップは、複数のコンテンツページのうちユーザ端末に表示されないコンテンツページに移動できる移動識別子をユーザ端末に表示されたコンテンツページに表示してもよい。
【００２２】
本発明の一実施形態に係るプロフィール提供方法において、前記表示されるコンテンツは、前記メッセンジャーアプリケーションと連動されるメッセンジャーサーバに予め格納されてもよい。
【００２３】
本発明の一実施形態に係るプロフィール提供方法は、プロフィールのユーザの要求に応じて、前記プロフィールを構成する複数のコンテンツページ、前記コンテンツページを介して表示されるコンテンツ、及び前記コンテンツに関連するアプリケーションのうちの少なくとも１つを管理するステップをさらに含んでもよい。
【００２４】
本発明の一実施形態に係るプロフィール提供方法において、前記管理するステップは、前記ユーザが選択したアプリケーションがユーザ端末にインストールされていない場合、前記アプリケーションに関連するインストール誘導メッセージを提供してもよい。
【００２５】
本発明の一実施形態に係るプロフィール提供方法において、前記コンテンツページは、前記コンテンツに関連するアプリケーションを介して収集されたコンテンツの人気度、推薦度、又は使用情報のうちの少なくとも１つを表示してもよい。
【００２６】
本発明の他の実施形態に係るプロフィール提供方法は、メッセンジャーアプリケーションを介して提供されるチャットウィンドウにおいてユーザの入力を検出するステップと、前記ユーザの入力に対応してチャットウィンドウに参加したユーザのプロフィールを構成する複数のコンテンツページのうちのいずれか１つのコンテンツページを表示するステップとを含み、前記複数のコンテンツページは、前記メッセンジャーアプリケーションとは異なる複数のアプリケーションに関連するコンテンツが表示されるページを含む。
【００２７】
本発明の他の実施形態に係るプロフィール提供方法において、前記メッセンジャーアプリケーションと前記複数のアプリケーションは、互いに同一のアカウント又は同一のユーザＩＤで設定されてもよい。
【００２８】
本発明の他の実施形態に係るプロフィール提供方法において、前記ユーザの入力は、前記ユーザ端末でのフリック、ユーザ端末に配置されたボタンを押す、ユーザ端末に表示されたマークを押す、ユーザ端末に表示されたホイールを回す、及びユーザのモーション認識のうちのいずれか１つを含んでもよい。
【００２９】
本発明の他の実施形態に係るプロフィール提供方法において、前記コンテンツページを表示するステップは、前記チャットウィンドウがグループチャットの場合、前記ユーザの入力に対応してグループのプロフィールを構成する複数のコンテンツページのうちのいずれか１つのコンテンツページを表示してもよい。
【００３０】
本発明の他の実施形態に係るプロフィール提供方法において、前記コンテンツページを表示するステップは、前記チャットウィンドウがグループチャットの場合、前記ユーザの入力に対応してグループチャットに参加したメンバーのうちのいずれか１つのメンバーのプロフィールを構成する複数のコンテンツページのうちのいずれか１つのコンテンツページを表示してもよい。
【００３１】
本発明のまた他の実施形態に係るプロフィール提供方法は、メッセンジャーアプリケーションで実行されるプロフィールにアクセスするためのプロフィール接続識別子を提供するステップと、前記プロフィール接続識別子が選択された場合に、前記プロフィールのユーザのタイプを考慮してプロフィールを構成する複数のコンテンツページのうちのいずれか１つのコンテンツページを表示するステップとを含む。
【００３２】
本発明のまた他の実施形態に係るプロフィール提供方法において、前記コンテンツページを表示するステップは、ユーザが第１のタイプの場合、前記メッセンジャーアプリケーションとは異なる複数のアプリケーションに関連するコンテンツが表示されるコンテンツページを表示するステップと、ユーザが第２のタイプの場合、前記プロフィールのユーザが設定した取引誘導のためのコンテンツが表示されるコンテンツページを表示するステップを含んでもよい。
【００３３】
本発明の一実施形態に係るユーザ端末は、メッセンジャーアプリケーションで実行されるプロフィールにアクセスするためのプロフィール接続識別子を提供する識別子提供部と、前記プロフィール接続識別子が選択された場合に、プロフィールを構成する複数のコンテンツページのうちのいずれか１つのコンテンツページを表示するページ表示部とを含み、前記コンテンツページ表示部は、前記メッセンジャーアプリケーションとは異なる複数のアプリケーションに関連するコンテンツが表示されるコンテンツページを表示してもよい。
【００３４】
本発明の一実施形態に係るユーザ端末において、前記メッセンジャーアプリケーションと前記複数のアプリケーションは、互いに同一のアカウント又は同一のユーザＩＤで設定されてもよい。
【００３５】
本発明の一実施形態に係るユーザ端末において、前記コンテンツページ表示部は、前記表示されたコンテンツページに対するユーザの入力に対応して前記表示されたコンテンツページと異なるコンテンツページに切り替えてもよい。
【００３６】
本発明の一実施形態に係るユーザ端末において、前記コンテンツページ表示部は、前記ユーザの入力方向によって互いに異なるアプリケーションに関連するコンテンツが表示されるコンテンツページに切り替えてもよい。
【００３７】
本発明の一実施形態に係るユーザ端末において、前記コンテンツページ表示部は、複数のコンテンツページのうちユーザ端末に表示されないコンテンツページに移動できる移動識別子をユーザ端末に表示されたコンテンツページに表示してもよい。
【００３８】
本発明の一実施形態に係るユーザ端末は、プロフィールのユーザの要求に応じて、前記プロフィールを構成する複数のコンテンツページ、前記コンテンツページを介して表示されるコンテンツ、及び前記コンテンツに関連するアプリケーションのうちの少なくとも１つを管理するプロフィール管理部をさらに含んでもよい。
【００３９】
本発明の一実施形態に係るユーザ端末において、前記プロフィール管理部は、前記ユーザが選択したアプリケーションがユーザ端末にインストールされていない場合、前記アプリケーションに関連するインストール誘導メッセージを提供してもよい。
【００４０】
本発明の他の実施形態に係るユーザ端末は、メッセンジャーアプリケーションを介して提供されるチャットウィンドウにおいてユーザの入力を検出する検出部と、前記ユーザの入力に対応してチャットウィンドウに参加したユーザのプロフィールを構成する複数のコンテンツページのうちのいずれか１つのコンテンツページを表示するページ表示部とを含み、前記複数のコンテンツページは、前記メッセンジャーアプリケーションとは異なる複数のアプリケーションに関連するコンテンツが表示されるページを含む。
【００４１】
本発明の他の実施形態に係るユーザ端末において、前記メッセンジャーアプリケーションと前記複数のアプリケーションは、互いに同一のアカウント又は同一のユーザＩＤで設定されてもよい。
【００４２】
本発明のまた他の実施形態に係るユーザ端末は、メッセンジャーアプリケーションで実行されるプロフィールにアクセスするためのプロフィール接続識別子を提供する識別子提供部と、前記プロフィール接続識別子が選択された場合に、前記プロフィールのユーザのタイプを考慮してプロフィールを構成する複数のコンテンツページのうちのいずれか１つのコンテンツページを表示するページ表示部とを含む。
【００４３】
本発明のまた他の実施形態に係るユーザ端末において、前記コンテンツページ表示部は、ユーザが第１のタイプの場合、前記メッセンジャーアプリケーションとは異なる複数のアプリケーションに関連するコンテンツが表示されるコンテンツページを表示し、ユーザが第２のタイプの場合、前記プロフィールのユーザが設定した取引誘導のためのコンテンツが表示されるコンテンツページを表示してもよい。
【発明の効果】
【００４４】
本発明の一実施形態によれば、複数のアプリケーションに関連するコンテンツが表示されるコンテンツページで構成されたプロフィールをメッセンジャーアプリケーションを介して提供することによって、メッセンジャーアプリケーションを利用しているユーザがより便利に、自分又は友だちのプロフィールにアクセスすることができる。
【００４５】
本発明の一実施形態によれば、複数のアプリケーションに関連するコンテンツが表示されるコンテンツページで構成されたプロフィールをメッセンジャーアプリケーションを介して提供することによって、メッセンジャーアプリケーションを利用しているユーザがより様々な方式で自身を知らせることができる。
【００４６】
本発明の一実施形態によれば、ユーザが利用しているアプリケーションが提供するコンテンツに前記アプリケーションがインストールされていない友だちがアクセスできるように友だちにアプリケーションのインストールを誘導することによって、アプリケーションをより容易にかつ迅速に配布、拡散することができる。
【００４７】
本発明の一実施形態によれば、友だちのタイプが広告主の場合、プロフィールを構成するコンテンツページを介して広告を表示できるようにすることによって、プロフィールを介して追加的な収益構造を創りだすことができる
【００４８】
本発明の一実施形態によれば、ユーザが利用しているコンテンツの状態をプロフィールを構成するコンテンツページを介して表示し、友だちがコンテンツに関心を持ってアクセスするようにすることによって、コンテンツの消費を拡大させることができる。
【図面の簡単な説明】
【００４９】
【図１】一実施形態に係るメッセンジャーアプリケーションとプロフィールとの関係を示す図である。
【図２】一実施形態に係るメッセンジャーアプリケーションを介してプロフィールにアクセスする過程を示す図である。
【図３】一実施形態に係るユーザの入力によってコンテンツページを切り替える過程を示す図である。
【図４】一実施形態に係るユーザの入力によってコンテンツのステータスメッセージを表示する過程を示す図である。
【図５】一実施形態に係るカバーページからコンテンツページに移動する方式を示す図である。
【図６】一実施形態に係るコンテンツページからカバーページに移動する方式を示す図である。
【図７】一実施形態に係るプロフィールのカバーページの例示を示す図である。
【図８】一実施形態に係るプロフィールの編集の例示を示す図である。
【図９】一実施形態に係る複数のアプリケーションに関連するコンテンツがメッセンジャーサーバに格納された構造を示す図である。
【図１０】一実施形態に係る個人のプロフィールの例示を示す図である。
【図１１】一実施形態に係るグループのプロフィールの例示を示す図である。
【図１２】一実施形態に係る広告主のプロフィールの例示を示す図である。
【図１３】一実施形態に係るコンテンツページに表示されたコンテンツの友だちの活動メッセージの例示を示す図である。
【図１４】一実施形態に係るメッセンジャーアプリケーションで実行中のユーザチャットにおいてプロフィールにアクセスする例示を示す図である。
【図１５】一実施形態に係るメッセンジャーアプリケーションで実行中のグループチャットにおいてプロフィールにアクセスする例示を示す図である。
【図１６】一実施形態に係るプロフィール提供方法を示すフローチャートである。
【図１７】一実施形態に係るユーザ端末の動作方法を示す図である。
【図１８】一実施形態に係るユーザ端末の細部構成を示す図である。
【発明を実施するための形態】
【００５０】
以下、本発明の実施形態について添付の図面を参照しながら詳細に説明する。
【００５１】
図１は、一実施形態に係るメッセンジャーアプリケーションとプロフィールとの関係を示す図である。
【００５２】
図１を参照すると、メッセンジャーアプリケーション１００はプロフィール１０１を含む。具体的には、ユーザは、メッセンジャーアプリケーション１００を介して自身及びの友だちのプロフィール１０１にアクセスすることができる。ここで、プロフィール１０１は、個人ユーザ、グループ、企業の広告主が提供するプロフィールであってもよい。プロフィール１０１は、ユーザが直接管理できるサービスであって、ユーザ自身を外部に知らせることができる様々なコンテンツを表示することができる。
【００５３】
これにより、プロフィール１０１は、コンテンツを表示する複数のコンテンツページ（１０６〜１０９）で構成され得る。複数のコンテンツページのうちの１つがプロフィールを代表するカバーページ１０５であってもよい。カバーページ１０５は、プロフィールにおいて一番最初に表示され得る。カバーページ１０５も実質的にコンテンツページと同一の機能を示すことができるが、以下においては、コンテンツページとカバーページを区分して説明することにする。
【００５４】
カバーページ１０５と複数のコンテンツページ（１０６〜１０９）は、ユーザ端末のディスプレイ画面の全体に表示されてもよい。又は、カバーページ１０５と複数のコンテンツページ（１０６〜１０９）は、ユーザ端末のディスプレイ画面の分割された一部領域にそれぞれ表示されてもよい。
【００５５】
図１において、プロフィール１０１は、複数のアプリケーション（１０２〜１０４）と接続される。具体的には、アプリケーション１（１０２）に関連するコンテンツ１は、プロフィール１０１を構成するコンテンツページ１（１０６）を介して表示され得る。そして、アプリケーション２（１０３）に関連するコンテンツ２は、プロフィール１０１を構成するコンテンツページ２（１０７）を介して表示され得る。ここで、各コンテンツは、特定アプリケーション又は特定アプリケーションと連動するサーバに提供される。すなわち、プロフィール１０１を構成する複数のコンテンツページのそれぞれは、メッセンジャーアプリケーション１００とは異なる複数のアプリケーション（１０２〜１０４）に関連するコンテンツを表示することができる。ここで、アプリケーションに関連するコンテンツが１つ又は複数のコンテンツページに割り当てられてもよい。
【００５６】
メッセンジャーアプリケーション１００と複数のアプリケーション（１０２〜１０４）は、同一のユーザに特定され得る。一例として、メッセンジャーアプリケーション１００と複数のアプリケーション（１０２〜１０４）は、互いに同一のアカウント又は互いに同一のユーザＩＤで設定されてもよい。
【００５７】
また、複数のアプリケーション（１０２〜１０４）を提供する主導者は、メッセンジャーアプリケーション１００を提供する主導者と同一であるか又は異なってもよい。また、アプリケーション（１０２〜１０４）は、音楽、写真、ゲーム、ショッピングなどユーザが主に利用するコンテンツを提供してもよい。
【００５８】
結論として、メッセンジャーアプリケーション１００は、複数のアプリケーション（１０２〜１０４）の関係においてマザー（ｍｏｔｈｅｒ）アプリケーションの役割をする。すなわち、ユーザがメッセンジャーアプリケーション１００を行うだけでも複数のアプリケーション（１０２〜１０４）に関連するコンテンツにより容易にアクセスすることができる。
【００５９】
それだけでなく、ユーザの友だちがユーザのプロフィール１０１にアクセスすることによって、ユーザの名前、ユーザの電話番号、ユーザが作成した文書、画像などユーザの基本情報だけでなくユーザが関心を持って主に利用するコンテンツにアクセスすることができる。これにより、ユーザの友だちは、プロフィールを介してコンテンツを消費してもよく、このようなコンテンツの消費のためにコンテンツに関連するアプリケーションを利用してもよい。
【００６０】
図２は、一実施形態に係るメッセンジャーアプリケーションを介してプロフィールにアクセスする過程を示す図である。
【００６１】
図２を参照すると、メッセンジャーアプリケーションの友だちリスト２０１が示されている。友だちリスト２０１は、メッセンジャーアプリケーションのユーザが予め登録した友だちを示す。一例として、ユーザが友だちリスト２０１から友だち２を選択する場合、プロフィールにアクセスできるプロフィール接続識別子が表示されたページ２０２が提供され得る。ここで、プロフィール接続識別子は、ＵＲＬ、ボタンＵＩなどの様々な形態で表示されてもよい。そうすると、ユーザは、プロフィール接続識別子を選択して友だち２のプロフィール２０３を確認することができる。友だち２のプロフィール２０３にユーザがアクセスする場合、プロフィール２０３を構成する複数のコンテンツページのうちプロフィール２０３を代表するカバーページがユーザに表示され得る。
【００６２】
別の一例として、ユーザが友だちリスト２０１から友だち２を選択する場合、別のプロフィール接続識別子が提供されない場合がある。すなわち、ユーザは、友だちリスト２０１から友だち２を選択する場合、別の中間過程なしにプロフィール２０３を代表するカバーページがユーザに表示され得る。
【００６３】
図２において、ユーザが友だちのプロフィールにアクセスする方法を説明した。プロフィールにアクセスする方法は、図２に示された方法だけに限定されない。例えば、プロフィール接続識別子が友だちリスト２０１に含まれた友だちの横に表示されてもよい。また、プロフィール接続識別子は、図２に示された形態と異なるＵＩ形態を表わしてもよく、本発明は、図２のＵＩ形態に限定されない。
【００６４】
また、図２において、ユーザが友だちリスト２０１から友だちを選択したり又は友だちのプロフィールにアクセスするためのプロフィール接続識別子を選択する場合、友だちの形態が判断されてもよい。すなわち、友だちが一般個人であるか又は企業の広告主であるか否かを判断することができる。友だちが一般個人の場合、図１０に示されているプロフィールのカバーページが提供され得る。また、友だちが企業の広告主の場合、図１２に示されているプロフィールのカバーページが提供され得る。結論として、本発明の一実施形態によれば、ユーザの友だちの形態に応じて対応するプロフィールのカバーページが提供され得る。
【００６５】
図３は、一実施形態に係るユーザの入力によってコンテンツページを切り替える過程を示す図である。
【００６６】
図３を参照すると、プロフィールを構成する複数のコンテンツページ（３０２〜３０４）が示されている。ここで、カバーページ３０１は、ユーザを紹介する代表ページを意味する。また、カバーページ３０１は、プロフィールを構成する複数のページのうち最初のページを意味する。カバーページ３０１も複数のコンテンツページ（３０２〜３０４）と同一の性格を有するコンテンツページを含んでもよい。
【００６７】
カバーページ３０１は、ユーザのプロフィール画像、プロフィール情報、お気に入り、書き込み、ギフトサービスのようなインターフェース、チャット、又は通話するためのインターフェースなどが表示され得る。ここで、プロフィール情報は、ユーザの電話番号、ユーザが作成した文書などを含んでもよい。又は、カバーページ３０１も複数であってもよく、カバーページ３０１全体にカバー画像が表示されてもよい。
【００６８】
図３を参照すると、ユーザは指を用いてユーザ端末に表示されたカバーページ３０１をフリック（ｆｌｉｃｋｉｎｇ）することができる。ここで、フリックは、ユーザが、指、タッチペンなどでカバーページ３０１に接触したまま上下左右など様々な方向へ動かす動作を意味する。ユーザがカバーページ３０１において左側にフリックすると、ユーザ端末に表示されたカバーページ３０１はコンテンツページ１（３０２）に切り替わる。
【００６９】
また、ユーザがコンテンツページ１（３０２）において左側にフリックすると、ユーザ端末に表示されたコンテンツページ１（３０２）はコンテンツページ２（３０３）に切り替わる。反対に、ユーザがコンテンツページ１（３０２）から右側にフリックすると、ユーザ端末に表示されたコンテンツページ１（３０２）はカバーページ３０１に切り替わる。
【００７０】
すなわち、ユーザがユーザ端末において現在の表示されたコンテンツページから指でフリックすると、フリック方向によって前に位置するコンテンツページ又は次に位置するコンテンツページに切り替わる。最後に位置するコンテンツページ３（３０４）においてユーザが左側にフリックする場合、ユーザ端末に表示されたコンテンツページ３（３０４）は再び最初に位置したカバーページ３０１に切り替わる。
【００７１】
図３において説明したように、コンテンツページは、ユーザの入力によって切り替わってもよい。コンテンツページの切り替えは、フリック動作だけでなく、コンテンツページごとに表示された仮想ボタンである＜、＞、∧、又は∨を介して前に位置するコンテンツページ又は次に位置するコンテンツページに切り替えることができる。又は、コンテンツページごとに仮想ホイール（ｗｈｅｅｌ）が表示される場合、ユーザが仮想ホイールを回す方向によって前に位置するコンテンツページ又は次に位置するコンテンツページに切り替えることができる。又は、ユーザのモーションを認識できる場合、ユーザのモーションの方向を検出して、前に位置するコンテンツページ又は次に位置するコンテンツページに切り替えることができる。
【００７２】
つまり、ユーザがフリック、仮想ボタン、ホイール、又はユーザのモーション認識によってコンテンツページが切り替わるため、ユーザの入力によって各コンテンツページにおいて互いに異なるアプリケーションに関連するコンテンツをユーザに表示することができる。また、フリック方向、選択された仮想ボタンの種類（＜、＞、∧、又は∨）、ホイールの方向、ユーザのモーションの方向によって互いに異なるアプリケーションに関連するコンテンツが表示されるコンテンツページに切り替えることができる。
【００７３】
また、コンテンツページ（３０２〜３０４）の一部領域にページ移動情報が表示されてもよい。ここで、ページ移動情報は、プロフィールを構成するコンテンツページのうちユーザに表示された現在のコンテンツページがプロフィールにおいてどの位置にあるのかを示すものであって、図や文字などで表現されてもよい。そうすると、ユーザは、ページ移動情報を介してプロフィールを構成するコンテンツページの数を概略的に把握することができる。また、ユーザは、自身の入力によってカバーページからどの程度コンテンツページが切り替わったのかを把握することができる。
【００７４】
一方、プロフィールを構成する複数のコンテンツページにおいて複数のアプリケーションに関連するコンテンツ中のユーザの選択、コンテンツの最新性、コンテンツの人気度、代表コンテンツ、コンテンツの活用履歴、及びコンテンツのカテゴリーのうちの少なくとも１つの基準によって選択されたコンテンツが表示されてもよい。
【００７５】
すなわち、ユーザが選択したコンテンツがコンテンツページに表示され得る。また、アプリケーションが提供する複数のコンテンツのうち直近に作成されたりアップロードされたコンテンツがコンテンツページに表示されてもよい。また、アプリケーションが提供する複数のコンテンツのうちコメント数が多かったり、推薦数が多い程度を示すコンテンツの人気度によって決定されたコンテンツがコンテンツページに表示されてもよい。また、アプリケーションが提供するコンテンツのうち任意に選択されたコンテンツがコンテンツページに表示されてもよい。それだけでなく、アプリケーションを介してユーザのコンテンツ消費パターンを考慮してアプリケーションにおいて最も多く活用されたコンテンツがコンテンツページに表示されてもよい。また、アプリケーションにおいて提供する複数のコンテンツのうちユーザが設定したカテゴリーに属したコンテンツがコンテンツページに表示されてもよい。
【００７６】
本発明の一実施形態によれば、コンテンツページは、ユーザ端末のディスプレイに全体又は一部画面に表示され得、コンテンツページが表示される順序が決定される必要がある。一例として、ユーザの選択、コンテンツページに表示されるコンテンツの更新時、コンテンツの活用履歴、コンテンツの人気度のうちの少なくとも１つの基準によってプロフィールを構成する複数のコンテンツページのユーザ端末のディスプレイに表示される順序が決定されてもよい。すなわち、コンテンツページが表示される順序は、コンテンツページを介して表示されるコンテンツを考慮して決定されてもよい。又は、コンテンツページが表示される順序は、コンテンツページを介して表示されるコンテンツに関連するアプリケーションの活用頻度を考慮して決定されてもよい。
【００７７】
図４は、一実施形態に係るユーザの入力によってコンテンツのステータスメッセージを表示する過程を示す図である。
【００７８】
図４を参照すると、プロフィールのカバーページ４０１の下段にコンテンツのステータスメッセージ４０２が提供されている。ここで、コンテンツのステータスメッセージ（４０２〜４０５）は、各コンテンツページを介して提供されるコンテンツに関連するアップデート状態などを示す。
【００７９】
例えば、コンテンツが音楽の場合、ステータスメッセージ（４０２〜４０５）は、ユーザが音楽を再生しているのか、最近いつ再生したのか、どれくらい再生したのか、再生音楽の人気度はどうなのか、又は再生される音楽がどんなカテゴリーなのかなどを示す。すなわち、ステータスメッセージ（４０２〜４０５）は、コンテンツの要約情報、ユーザのコンテンツ再生状況、コンテンツの再生時点、コンテンツの再生回数、コンテンツの人気度、又はコンテンツのカテゴリーなどを含んでもよい。
【００８０】
又は、ユーザが新規でコンテンツをアップデートした場合、ステータスメッセージ（４０２〜４０５）は、新規でアップデートされたという事実を示すことができる。図４において、Ｎという表示は、コンテンツがアプリケーションに新規でアップデートされたことを示す。
【００８１】
図４を参照すると、ユーザがプロフィールのカバーページにおいてコンテンツ１のステータスメッセージ４０２を上にドラッグしたりフリックする場合、プロフィールを構成するコンテンツページのそれぞれにおいて表示されるコンテンツのステータスメッセージ（４０２〜４０５）が追加的に表われてユーザに表示され得る。そうすると、ユーザのプロフィールを訪問した友だちは、このような過程を介して、ユーザのプロフィールを構成する各コンテンツページにおいて表示されるコンテンツのリストを把握することができる。
【００８２】
図４において、ドラッグ方向は、下から上に上がる方向を示すが、これは例示に過ぎず、カバーページ又はコンテンツページにおいてどの方向にドラッグしても本発明の実施形態の範囲に属してもよい。
【００８３】
図５は、一実施形態に係るカバーページからコンテンツページに移動する方式を示す図である。
【００８４】
図５の左側の上段は、カバーページの構成を概略的に示したものである。特に、図５は、順方向に従ってカバーページからコンテンツページに切り替わる過程を示す。
【００８５】
カバーページに表示されるプロフィール画像（１）が選択された場合、コンテンツページのうちプロフィール画像に対応するコンテンツページ０に切り替えられてユーザに表示され得る。
【００８６】
また、カバーページにおいてユーザが右側にフリックしたり又は仮想ボタンである＞（２）を選択する場合、カバーページの次に位置するコンテンツページ１．１に切り替わってユーザに表示され得る。又は、ユーザがカバーページに表示された仮想ホイールを回す場合、カバーページの次に位置するコンテンツページ１．１に切り替わってユーザに表示され得る。
【００８７】
また、カバーページの下段に表示されたコンテンツのステータスメッセージ（３）が選択された場合、当該コンテンツに対応するコンテンツページ２に切り替えられてユーザに表示され得る。ここで、コンテンツは、アプリケーション２に関連するコンテンツを意味する。この場合、カバーページから切り替わるコンテンツページ１．１、コンテンツページ１．２の順序で順次に切り替わって表示されるのではなく、カバーページからコンテンツページ２にすぐにジャンプしてユーザに表示され得る。
【００８８】
また、コンテンツページ２においてコンテンツページ３．３に表示されたコンテンツのステータスメッセージが存在する場合、当該ステータスメッセージが選択された場合、コンテンツページ２からコンテンツページ３．３にジャンプして切り替わってもよい。すなわち、本発明の実施形態によれば、カバーページから特定コンテンツページにジャンプして切り替わるだけでなく、プロフィールにおいて中間に位置するコンテンツページから他のコンテンツページに逆方向又は順方向にジャンプして切り替わってもよい。
【００８９】
図５に示されているように、互いに異なるアプリケーションに関連するコンテンツがユーザの入力によって切り替わるコンテンツページに表示されてもよい。
【００９０】
図６は、一実施形態に係るコンテンツページからカバーページに移動する方式を示す図である。
【００９１】
図６は、プロフィールを構成するそれぞれのコンテンツページに表示された移動識別子が押された場合、プロフィールにおいて最初に位置するカバーページにすぐに切り替わることを示している。又は、ユーザがユーザ端末の特定キー又は特定キーの組み合わせを選択する場合、プロフィールにおいて最初に位置するカバーページにすぐに切り替わってもよい。
【００９２】
ここで、移動識別子は、カバーページに示されたプロフィール画像のサムネイルを意味する。又は、移動識別子は、プロフィール画像のサムネイルと関係がなく予め設定された形態の識別子を意味してもよい。
【００９３】
すなわち、ユーザがコンテンツページ１．３からカバーページに移動しようとする場合、コンテンツページ１．３の下段に位置する移動識別子を選択したり、又はユーザ端末の特定キー又は特定キーの組み合わせを選択することができる。又は、ユーザが繰り返しフリックをしたり、仮想ボタン、又は仮想ホイール、又はモーション認識を利用することによって、コンテンツページ１．３は、逆方向にコンテンツページ１．２、コンテンツページ１．１、コンテンツページ０、カバーページに切り替えることができる。すなわち、コンテンツページがユーザの入力によって順次に切り替わり、プロフィールにおいて最初に位置するカバーページに切り替わってもよい。
【００９４】
図７は、一実施形態に係るプロフィールのカバーページの例示を示す図である。
【００９５】
図７は、プロフィールのユーザが自身のプロフィールに含まれたカバーページにアクセスした時の例示を示している。カバーページは、ユーザに関連する複数のコンポーネントを表示してもよい。例えば、プロフィール画像、ユーザの名前、ユーザが作成した文書、ユーザの電話番号、ユーザのメールアドレスなどユーザに関連する様々な個人情報が表示されてもよい。また、カバーページの下段には、プロフィールを構成するコンテンツページを介して表示されるコンテンツのステータスメッセージが表示されてもよい。
【００９６】
また、カバーページを介してユーザはプロフィールを編集することができる。また、ユーザがメッセンジャーアプリケーションに関連するソーシャルネットワークサービスを用いる場合、ユーザはショートカットを介してソーシャルネットワークサービスにもアクセスすることができる。
【００９７】
また、カバーページは、ユーザ端末のディスプレイの表示モードによって構成要素の配置が変更されてもよい。例えば、ディスプレイが縦モードなのか又は横モードなのかによってカバーページの構成要素の配置が変わり得る。
【００９８】
図７に示されたカバーページの構成要素は、一例に過ぎず、実施形態によって構成要素は追加されたり変更されてもよい。
【００９９】
図８は、一実施形態に係るプロフィールの編集の例示を示す図である。
【０１００】
図７においてユーザがカバーページのプロフィール編集ボタンを選択する場合、図８のようにユーザがプロフィールを編集できるようにプロフィールの管理モードにアクセスすることができる。
【０１０１】
ユーザは、プロフィール管理モードを介してコンテンツページを設定することができる。ここで、ユーザは、プロフィールを介して表示されるコンテンツページの数、各アプリケーションに割り当てられるコンテンツページの数、コンテンツページの表示順序のようにコンテンツページの表示プロファイルを設定してもよい。
【０１０２】
ユーザは、プロフィール管理モードを介してカバーページに表示されるプロフィール画像の背景画像を設定することができる。また、ユーザは、カバーページに表示されるカバーページの個人情報を設定することができる。プロフィール画像と背景画像は、ユーザ端末にすでに格納された画像又はユーザ端末のカメラによって撮影された画像で設定されてもよい。ユーザがプロフィール画像と背景画像を別に設定しない場合、プロフィールのデフォルト画像が設定されてもよい。
【０１０３】
また、ユーザは、コンテンツページを介して表示されるコンテンツのアプリケーションを選択することができる。すなわち、ユーザがアプリケーション１だけ選択する場合、プロフィールのコンテンツページを介してアプリケーション２に関連するコンテンツとアプリケーション３に関連するコンテンツが表示されない。
【０１０４】
また、ユーザ端末にアプリケーション２がインストールされていない場合、ユーザがアプリケーション２を選択すると、アプリケーション２のインストールに関連する案内メッセージが表示され得る。ユーザが表示された案内メッセージを選択すると、ユーザ端末は、アプリケーション２をダウンロードして設けられるページにアクセスすることができる。すなわち、案内メッセージは、ユーザにとってアプリケーションのダウンロード及びインストールを誘導するメッセージを意味する。これによって、ユーザ端末にインストールされていないアプリケーションの拡散、配布が容易になり得る。
【０１０５】
図９は、一実施形態に係る複数のアプリケーションに関連するコンテンツがメッセンジャーサーバに格納された構造を示す図である。
【０１０６】
図９を参照すると、メッセンジャーアプリケーション９０２は、メッセンジャーサーバ９０１を介して伝達されるチャット情報を受信して表示することができる。ここで、メッセンジャーアプリケーション９０２を介してプロフィール９０３が提供されてもよい。
【０１０７】
上述にて説明したように、プロフィール９０３は、複数の互いに異なるアプリケーションに関連するコンテンツを複数のコンテンツページを介して表示することができる。ここで、複数のコンテンツページを介して表示するコンテンツは、予めメッセンジャーサーバ９０１に格納されてもよい。すなわち、プロフィールを構成する複数のコンテンツページのそれぞれを介して表示されるアプリケーションに関連するコンテンツは、予めメッセンジャーアプリケーション９０２と連動されるメッセンジャーサーバ９０１に格納され得る。
【０１０８】
例えば、アプリケーション１に関連するコンテンツ１がプロフィール９０３のコンテンツページを介して表示される場合、コンテンツ１は、予めメッセンジャーサーバ９０１に格納されてもよい。ここで、アプリケーション１に関連するコンテンツが複数の場合、プロフィール９０３に含まれたコンテンツページを介して表示されるコンテンツがアプリケーションサーバ１（９０４）からメッセンジャーサーバ９０１に伝達されてメッセンジャーサーバ９０１に格納されてもよい。
【０１０９】
すなわち、プロフィール９０３を介して表示されるコンテンツが予めメッセンジャーアプリケーション９０２と連動されたメッセンジャーサーバ９０１に格納されるものであって、プロフィール９０３に含まれたコンテンツページを介してより迅速にコンテンツが表示され得る。
【０１１０】
図１０は、一実施形態に係る個人のプロフィールの例示を示す図である。
【０１１１】
具体的には、図１０は、ユーザのプロフィールにおいてカバーページの例示を示している。ユーザの友だちがユーザのプロフィールにアクセスしたとき、カバーページ１００１が表示され得る。この場合、プロフィール１００１は、プロフィール画像、ユーザの名前、ユーザが作成した語句、ユーザの電話番号、ユーザのメールアドレスなどユーザに関連する様々な個人情報が表示され得る。また、友だちがユーザとチャットしたり又はｍＶｏＩＰ方式で電話するためのボタンがカバーページ１００１に表示され得る。
【０１１２】
また、ユーザの友だちでない第三者がユーザのプロフィールにアクセスしたとき、カバーページ１００２が表示され得る。この場合、ユーザの電話番号のような個人情報が表示されない場合がある。また、第三者がユーザを友だちに追加したり又は友だちに追加するのを遮断するためのボタンがカバーページ１００２に表示されてもよい。
【０１１３】
また、ユーザの友だちがユーザと１：１チャットルームを介してチャットしながら友だちがユーザのプロフィールにアクセスした場合、カバーページ１００３が表示されてもよい。この場合、カバーページ１００３は、カバーページ１００１とは違ってユーザとチャットするためのボタンが除外されてもよい。
【０１１４】
図１１は、一実施形態に係るグループのプロフィールの例示を示す図である。
【０１１５】
本発明の一実施形態によれば、個人ユーザだけでなくグループのプロフィールも提供され得る。グループのプロフィールも図１０の個人ユーザのプロフィールと類似のカバーページを示す。生成されたグループがない場合、カバーページ１１０１にグループを生成するためのボタン（「グループを作成」）が表示され得る。また、生成されたグループがある場合、カバーページ１１０２にグループを訪問するためのボタン（「グループに参加」）が表示され得る。
【０１１６】
図１２は、一実施形態に係る広告主のプロフィールの例示を示す図である。
【０１１７】
本発明の一実施形態によれば、メッセンジャーアプリケーションにおいて広告主もユーザの立場においてまた他の形態の友だちであってもよい。これにより、広告主も自身のプロフィールに複数のコンテンツページを構成した後、当該コンテンツページに対応して新規オープンのお知らせ、プロモーション、行事日程、広告主が位置している支店を示す地図、商品／サービス紹介情報、商品／サービス価格情報、商品／サービス割引情報、イベント情報、ショッピングリストなど広告主との取り引きを誘導するコンテンツをマッチングさせることができる。また、上述にて説明したユーザのプロフィールに対する説明も広告主のプロフィールに適用されてもよい。
【０１１８】
一例として、広告主がメッセンジャーアプリケーションで実行されるプロフィールを用いる場合、プロフィールを構成する複数のコンテンツページは、広告主が配布するアプリケーション又はその他に他のアプリケーションに関連するコンテンツを表示することができる。ここで、アプリケーションに関連するコンテンツは、当該アプリケーション又は当該アプリケーションと連動するサーバから提供される。
【０１１９】
図１２を参照すると、プロフィールにおいて最初に表示されるカバーページの例示を示している。
【０１２０】
カバーページ１２０１は、広告主のプロフィールにアクセスしたユーザが広告主とすでに友だち関係にある場合を示す。この場合、カバーページ１２０１に広告主のプロフィール画像、広告主の名前、広告主の代表電話番号、広告主のホームページに加入した友だちの数、広告主のステータスメッセージなどの複数のコンポーネントが表示され得る。一方、カバーページ１２０１は、広告主とユーザが直接チャットすることができたり又はユーザが広告主のホームページにアクセスできるようにＵＩを表示してもよい。
【０１２１】
また、カバーページ１２０２は、広告主のプロフィールにアクセスしたユーザが広告主と友だち関係でない場合を示す。この場合、カバーページ１２０２にユーザが広告主を友だちとして追加できるようにＵＩを表示することができる。ユーザが広告主と友だちになった後、再び広告主のプロフィールに訪問する場合、カバーページ１２０１がユーザに表示されてもよい。
【０１２２】
また、カバーページ１２０３は、広告主とユーザが１：１チャットを進行しながらユーザが広告主のプロフィールにアクセスした場合を示す。ここで、広告主とユーザはすでに友だち関係にあるということを意味する。この場合、カバーページ１２０３は、カバーページ１２０１と比較したとき、広告主とユーザが直接チャットできるようにするＵＩが除外されてもよい。
【０１２３】
図１３は、一実施形態に係るコンテンツページに表示されたコンテンツの友だちの活動メッセージの例示を示す図である。
【０１２４】
図１３を参照すると、コンテンツページ１（１３０１）にコンテンツ１が表示され、コンテンツページ２（１３０２）にコンテンツ２が表示されている。ここで、コンテンツページ１（１３０１）の一部領域にコンテンツ１に対する活動メッセージが表示されてもよい。同様に、コンテンツページ２（１３０２）の一部領域にコンテンツ２に対する活動メッセージが表示されてもよい。
【０１２５】
ここで、活動メッセージは、コンテンツに関連するアプリケーションを介してコンテンツを利用した友だちの数など友だちによるコンテンツの利用情報を示してもよい。例えば、コンテンツ１が音楽の場合、活動メッセージは、メッセンジャーアプリケーションとは異なる音楽アプリケーションを介してコンテンツ１の音楽を聞いた友だちの数を示すことができる。その他にも、活動メッセージは、最新コンテンツ１を消費した友だちの名前又はコンテンツ１に対する評価文、コメント、推薦の数などを含んでもよい。
【０１２６】
また、例えば、コンテンツ２がソーシャルネットワークサービスを提供するアプリケーションを介してアップロードされた新規文書の場合、活動メッセージは、コンテンツ２に対する鑑定表示（例えば、いいね）、コメント、推薦数、評価文、コメントを作成した友だちの名前などを含んでもよい。ここで、新規文書は、テキスト、画像、動画、音声のうちの少なくとも１つで構成されてもよい。
【０１２７】
それだけでなく、１つのコンテンツに対応する活動メッセージに情報が複数含まれている場合、時間によって情報が切り替わって表示され得る。活動メッセージの情報が選択された場合、情報を表示するアプリケーションが実行された後、当該情報が友だちに表示され得る。
【０１２８】
また、活動メッセージがアップデートされる場合、活動メッセージ周辺にアップデート識別子（例えば、Ｎ）を表示することによって、プロフィールを運用するユーザやプロフィールにアクセスした友だちを確認できるようにする。
【０１２９】
一方、活動メッセージを選択したとき、活動メッセージに関連するコンテンツを提供するアプリケーションがインストールされていない場合、アプリケーションのインストールを誘導するメッセージが表示されてもよい。例えば、第１のユーザが第２のユーザのプロフィールを構成するコンテンツページにおいて活動メッセージを選択した場合、第１のユーザのスマートフォンに活動メッセージに関連するアプリケーションがインストールされていなければ、第１のユーザのスマートフォンにアプリケーションのインストールを誘導するメッセージが表示される。そうすると、第１のユーザがメッセージをクリックすれば、第１のユーザの端末は、アプリケーションをダウンロードして設けられるページに移動することができる。
【０１３０】
図１４は、一実施形態に係るメッセンジャーアプリケーションで実行中のユーザチャットにおいてプロフィールにアクセスする例示を示す図である。
【０１３１】
図１４を参照すると、メッセンジャーアプリケーションを介してユーザと友だちが１：１でチャットするチャットウィンドウ１４０１が示されている。友だちがチャットする過程においてチャットウィンドウ１４０１を特定方向（例えば、左側）にスクロールしたりフリックする場合、チャットウィンドウ１４０１がユーザのプロフィールを構成するカバーページ１４０２に切り替わったり又はカバーページ１４０２がチャットウィンドウ１４０１に一定水準の陰影を有しながらオーバラップされてもよい。
【０１３２】
そうすると、友だちは、ユーザとチャットしている中でも簡単な操作だけでユーザのプロフィールに容易にアクセスすることができる。このような過程を介して友だちはユーザの個人情報を確認することができる。それだけでなく、友だちは、コンテンツに関連するアプリケーションを別に実行しなくても、プロフィールを構成するコンテンツページを介して表示されるコンテンツを確認することができる。
【０１３３】
図１４の場合、ユーザとチャットする友だちがチャットウィンドウをスクロールしたりフリックすることによって、プロフィールに切り替わる過程を説明したが、本発明は、これらに限定されない。例えば、チャットウィンドウ自体に、プロフィールにアクセスできるプロフィール接続識別子が表示されて、プロフィール接続識別子に対する入力を通してユーザのプロフィールにアクセスしたり、モーション認識センサなどを介してユーザのモーションを認識してプロフィールにアクセスしてもよい。
【０１３４】
図１５は、一実施形態に係るメッセンジャーアプリケーションで実行中のグループチャットにおいてプロフィールにアクセスする例示を示す図である。
【０１３５】
図１５を参照すると、メッセンジャーアプリケーションを介してグループに属する複数のメンバーが同時にチャットするチャットウィンドウ１５０１が示されている。ユーザがチャットする過程においてチャットウィンドウ１５０１を特定方向（例えば、左側）にフリックする場合、次のような２種類のケースを介してユーザはプロフィールにアクセスすることができる。
【０１３６】
ケースＩを参照すると、ユーザがチャットウィンドウ１５０１を特定方向にフリックしたりスクロールする場合のグループに属したメンバーのリスト１５０２が表示されている。また、ユーザがリスト１５０２からプロフィールを見ることを希望するメンバーのユーザ２を選択すると、ユーザ２のプロフィールを構成するカバーページ１５０３がユーザに表示され得る。リスト１５０２は、メンバーの名前、メンバーの写真などを介して表示されてもよい。
【０１３７】
一方、ケースＩＩを参照すると、ユーザがチャットウィンドウ１５０１を特定方向にフリックしたりスクロールする場合、グループに属したメンバーのうち予め設定された基準によって決定されたメンバーのユーザ１のプロフィールを構成するカバーページ１５０４がユーザに表示され得る。また、ユーザがユーザ１のプロフィールのカバーページ１５０４から左側にフリックすると、次の順序のメンバーであるユーザ２のプロフィールを構成するカバーページ１５０５がユーザに表示され得る。ユーザがユーザ１のプロフィールを構成する他のコンテンツページなどを見ることを希望する場合、ユーザは、カバーページ１５０４に表示されたプロフィールのショートカットに関連するＵＩを選択してユーザ１のプロフィールにアクセスする必要がある。
【０１３８】
図１５に示してはいないが、また他の一例においてユーザがチャットウィンドウ１５０１を特定方向にフリックしたりスクロールする場合、グループのプロフィールを構成するカバーページは表示されてもよい。
【０１３９】
グループのプロフィールを構成するカバーページが表示されている場合、メンバーのプロフィールを構成するカバーページが後続して表示されてもよい。すなわち、ケースＩＩの場合、グループのプロフィール、ユーザ１のプロフィール、ユーザ２のプロフィール、ユーザ３のプロフィール、ユーザ４のプロフィールの順序でカバーページが表示され得る。
【０１４０】
ここで、予め設定された基準は、グループにおいて指定された等級であってもよく、メンバーの等級が高いほどプロフィールのカバーページが先に表示されてもよい。ここで、等級が同一のメンバーの間において任意にプロフィールのカバーページが表示されてもよい。又は、予め設定された基準は、グループチャットに参加した順序であってもよい。すなわち、メンバーがグループチャットに参加した順序が遅れるほどプロフィールのカバーページが先に表示され得る。
【０１４１】
したがって、グループに属したメンバーは、グループチャットしている中でも簡単な操作だけでメンバーのプロフィールに容易にアクセスすることができる。それだけでなく、メンバーは、コンテンツに関連するアプリケーションを別に実行しなくても、プロフィールを構成するコンテンツページを介して表示するコンテンツを確認することができる。
【０１４２】
図１４の場合、ユーザとチャットしている友だちがチャットウィンドウをフリックすることによって、プロフィールに切り替わる過程を説明したが、本発明は、これらに限定されない。例えば、チャットウィンドウ自体に、プロフィールにアクセスできるプロフィール接続識別子が表示されてもよく、プロフィール接続識別子に対する入力を通してユーザのプロフィールにアクセスしてもよい。また、モーション認識センサなどを介してユーザのモーションを認識してプロフィールにアクセスしてもよい。
【０１４３】
図１６は、一実施形態に係るプロフィール提供方法を示す図である。
【０１４４】
本発明の一実施形態に係るプロフィール提供方法は、ユーザ端末に備わったプロセッサによって行われる。ステップＳ１６０１におけるユーザ端末は、メッセンジャーアプリケーションで実行されるプロフィールにアクセスするためのプロフィール接続識別子を提供する。
【０１４５】
ステップＳ１６０２におけるユーザ端末は、プロフィール接続識別子が選択された場合、プロフィールを構成する複数のコンテンツページのうちのいずれか１つのコンテンツページを表示する。ここで、複数のコンテンツページは、メッセンジャーアプリケーションとは異なる複数のアプリケーションに関連するコンテンツが表示されるページを含んでもよい。ここで、表示されるコンテンツは、メッセンジャーアプリケーションと連動されるメッセンジャーサーバに予め格納されてもよい。
【０１４６】
また、プロフィールを構成する複数のコンテンツページの中からプロフィールのユーザに関連する個人情報、チャットインターフェース、電話インターフェース、友だち追加インターフェースのうちの少なくとも１つを含むカバーページが表示されてもよい。カバーページに対する説明は、上述にて説明したので、ここでは省略することにする。
【０１４７】
また、ユーザ端末は、プロフィールを構成するコンテンツページのうち最初のコンテンツページに他のコンテンツページを介して表示されるコンテンツのステータスメッセージを表示してもよい。
【０１４８】
ユーザ端末は、複数のコンテンツページのうちユーザ端末に表示されないコンテンツページに移動できる移動識別子をユーザ端末に表示されたコンテンツページに表示してもよい。
【０１４９】
一例として、ユーザ端末は、アプリケーションが提供するコンテンツ中のユーザの選択、コンテンツの最新性、コンテンツの人気度、代表コンテンツ、コンテンツの活用履歴、及びコンテンツのカテゴリーのうちの少なくとも１つの基準によって選択されたコンテンツをコンテンツページを介して表示することができる。また、ユーザ端末は、コンテンツのアプリケーションを介して収集されたコンテンツの人気度、推薦度、又は消費情報のうちの少なくとも１つをコンテンツページに表示することができる。
【０１５０】
一方、プロフィールを構成する複数のコンテンツページが表示される順序は、ユーザの選択、コンテンツページに表示されるコンテンツの更新時、コンテンツの活用履歴、コンテンツの人気度のうちの少なくとも１つの基準によって決定されてもよい。
【０１５１】
ステップＳ１６０３におけるユーザ端末は、表示されたコンテンツページに対するユーザの入力に対応して表示されたコンテンツページと異なるコンテンツページに切り替える。一例として、ユーザ端末は、ユーザ端末におけるフリック、ユーザ端末に配置されたボタンを押す、ユーザ端末に表示されたマークを押す、ユーザ端末に表示されたホイールを回す、及びユーザのモーション認識のうちのいずれか１つのユーザの入力に対応してコンテンツページを切り替えてもよい。また、ユーザ端末は、ユーザの入力方向によって互いに異なるアプリケーションに関連するコンテンツが表示するコンテンツページに切り替えてもよい。
【０１５２】
図１６に示してはいないが、ユーザ端末は、プロフィールのユーザの要求に応じて、前記プロフィールを構成する複数のコンテンツページ、コンテンツページを介して表示するコンテンツ、及びコンテンツに関連するアプリケーションのうちの少なくとも１つを管理してもよい。ここで、ユーザが選択したアプリケーションがユーザ端末にインストールされていない場合、ユーザ端末は、アプリケーションに関連するインストール誘導メッセージを提供することができる。
【０１５３】
図１６の過程と違って、リアルタイムに行われるメッセンジャーアプリケーションのチャットウィンドウにおいても、プロフィールが提供されてもよい。具体的には、ユーザ端末は、メッセンジャーアプリケーションを介して提供されるチャットウィンドウにおいてユーザの入力を検出することができる。そうすると、ユーザ端末は、ユーザの入力に対応してチャットウィンドウに参加したユーザのプロフィールを構成する複数のコンテンツページのうちのいずれか１つのコンテンツページを表示することができる。
【０１５４】
ここで、チャットウィンドウがグループチャットの場合、ユーザ端末は、ユーザの入力に対応してグループのプロフィールを構成する複数のコンテンツページのうちのいずれか１つのコンテンツページを表示してもよい。また、チャットウィンドウがグループチャットの場合、ユーザ端末は、ユーザの入力に対応してグループチャットに参加したメンバーのうちのいずれか１つのメンバーのプロフィールを構成する複数のコンテンツページのうちのいずれか１つのコンテンツページを表示してもよい。
【０１５５】
また、ユーザ端末は、メッセンジャーアプリケーションで実行されるプロフィールにアクセスするためのプロフィール接続識別子を提供してもよい。また、プロフィール接続識別子が選択された場合、プロフィールのユーザのタイプを考慮してプロフィールを構成する複数のコンテンツページのうちのいずれか１つのコンテンツページを表示してもよい。
【０１５６】
一例として、ユーザが個人のような第１のタイプの場合、ユーザ端末は、メッセンジャーアプリケーションとは異なる複数のアプリケーションに関連するコンテンツが表示するコンテンツページを表示することができる。また、ユーザが企業の広告主のような第２のタイプの場合、ユーザ端末は、プロフィールのユーザが設定した取り引きを誘導するためのコンテンツが表示されるコンテンツページを表示することができる。
【０１５７】
図１７は、一実施形態に係るユーザ端末の動作方法を示す図である。
【０１５８】
図１７において、ユーザ端末は、メッセンジャーアプリケーション、アプリケーション１、アプリケーション２、及びアプリケーション３がインストールされたと仮定する。ユーザがメッセンジャーアプリケーションを実行すると、メッセージサーバからチャットメッセージ情報がユーザ端末に伝達され得る。ここで、ユーザ又は友だちがメッセンジャーアプリケーションを介してプロフィールにアクセスする場合、メッセージサーバは、プロフィールを構成する複数のコンテンツページのうちのいずれか１つのコンテンツページをユーザ又は友だちに表示してもよい。ここで、ユーザ又は友だちが閲覧できるコンテンツページは、プロフィールを代表するカバーページを含んでもよい。
【０１５９】
一方、ユーザ又は友だちの入力によってユーザ端末を介して表示されるコンテンツページは切り替わってもよい。コンテンツページのそれぞれに複数のアプリケーションに関連するコンテンツが表示されてもよい。図１７を参照すると、コンテンツ１１、コンテンツ１２がアプリケーション１を介して提供される場合、コンテンツ１１又はコンテンツ１２のうちの少なくとも１つがプロフィールを構成するコンテンツページを介して表示され得る。実際、アプリケーション１が提供するコンテンツが複数であっても、プロフィールにおける設定によって全部又は一部のコンテンツがコンテンツページを介して表示され得る。この場合、実際に表示するコンテンツは、メッセージサーバに予め格納され得る。
【０１６０】
図１８は、一実施形態に係るユーザ端末の細部構成を示す図である。
【０１６１】
図１８を参照すると、ユーザ端末１８０１は、識別子提供部１８０２、ページ表示部１８０３、及びプロフィール管理部１８０４を含む。
【０１６２】
識別子提供部１８０２は、メッセンジャーアプリケーションで実行されるプロフィールにアクセスするためのプロフィール接続識別子を提供する。
【０１６３】
ページ表示部１８０３は、プロフィール接続識別子が選択された場合、プロフィールを構成する複数のコンテンツページのうちのいずれか１つのコンテンツページを表示する。ここで、複数のコンテンツページは、メッセンジャーアプリケーションとは異なる複数のアプリケーションに関連するコンテンツが表示されるページを含んでもよい。ここで、表示されるコンテンツは、メッセンジャーアプリケーションと連動されるメッセンジャーサーバに予め格納されてもよい。
【０１６４】
また、プロフィールを構成する複数のコンテンツページの中からプロフィールのユーザに関連する個人情報、チャットインターフェース、電話インターフェース、友だち追加インターフェースのうちの少なくとも１つを含むカバーページが表示されてもよい。カバーページに対する説明は、上述にて説明したのでここでは省略することにする。
【０１６５】
また、ページ表示部１８０３は、プロフィールを構成するコンテンツページのうち最初のコンテンツページに他のコンテンツページを介して表示するコンテンツのステータスメッセージを表示する。
【０１６６】
ページ表示部１８０３は、複数のコンテンツページのうちユーザ端末に表示されないコンテンツページに移動できる移動識別子をユーザ端末に表示されたコンテンツページに表示する。
【０１６７】
一例として、ページ表示部１８０３は、アプリケーションが提供するコンテンツ中のユーザの選択、コンテンツの最新性、コンテンツの人気度、代表コンテンツ、コンテンツの活用履歴、及びコンテンツのカテゴリーのうちの少なくとも１つの基準によって選択されたコンテンツをコンテンツページを介して表示する。また、ページ表示部１８０３は、コンテンツのアプリケーションを介して収集されたコンテンツの人気度、推薦度、又は使用情報のうちの少なくとも１つをコンテンツページに表示する。
【０１６８】
一方、プロフィールを構成する複数のコンテンツページが表示される順序は、ユーザの選択、コンテンツページに表示するコンテンツの更新時、コンテンツの活用履歴、コンテンツの人気度のうちの少なくとも１つの基準によって決定されてもよい。
【０１６９】
ページ表示部１８０３は、表示されたコンテンツページに対するユーザの入力に対応して表示されたコンテンツページと異なるコンテンツページに切り替わってもよい。一例として、ページ表示部１８０３は、ユーザ端末におけるフリック、ユーザ端末に配置されたボタンを押す、ユーザ端末に表示されたマークを押す、ユーザ端末に表示されたホイールを回す、ユーザのモーション認識のうちのいずれか１つのユーザの入力に対応してコンテンツページを切り替えてもよい。また、ページ表示部１８０３は、ユーザの入力方向によって互いに異なるアプリケーションに関連するコンテンツが表示されるコンテンツページに切り替えてもよい。
【０１７０】
プロフィール管理部１８０４は、プロフィールのユーザの要求に応じて、前記プロフィールを構成する複数のコンテンツページ、コンテンツページを介して表示するコンテンツ、及びコンテンツに関連するアプリケーションのうちの少なくとも１つを管理する。ここで、ユーザが選択したアプリケーションがユーザ端末にインストールされていない場合、プロフィール管理部１８０４は、アプリケーションに関連するインストール誘導メッセージを提供することができる。
【０１７１】
図１６の過程と違い、リアルタイムに行われるメッセンジャーアプリケーションのチャットウィンドウにおいても、プロフィールが提供されてもよい。具体的には、ページ表示部１８０３は、メッセンジャーアプリケーションを介して提供されるチャットウィンドウにおいてユーザの入力を検出することができる。そうすると、ページ表示部１８０３は、ユーザの入力に対応してチャットウィンドウに参加したユーザのプロフィールを構成する複数のコンテンツページのうちのいずれか１つのコンテンツページを表示する。
【０１７２】
ここで、チャットウィンドウがグループチャットの場合、ページ表示部１８０３は、ユーザの入力に対応してグループのプロフィールを構成する複数のコンテンツページのうちのいずれか１つのコンテンツページを表示する。また、チャットウィンドウがグループチャットの場合、ページ表示部１８０３は、ユーザの入力に対応してグループチャットに参加したメンバーのうちのいずれか１つのメンバーのプロフィールを構成する複数のコンテンツページのうちのいずれか１つのコンテンツページを表示する。
【０１７３】
他の一例として、識別子提供部１８０１は、メッセンジャーアプリケーションで実行されるプロフィールにアクセスするためのプロフィール接続識別子を提供する。また、プロフィール接続識別子が選択された場合、ページ表示部１８０３は、プロフィールのユーザのタイプを考慮してプロフィールを構成する複数のコンテンツページのうちのいずれか１つのコンテンツページを表示する。
【０１７４】
一例として、ユーザが個人のような第１のタイプの場合、ページ表示部１８０３は、メッセンジャーアプリケーションとは異なる複数のアプリケーションに関連するコンテンツが表示されるコンテンツページを表示する。また、ユーザが企業の広告主のような第２のタイプの場合、ページ表示部１８０３は、プロフィールのユーザが設定した取り引きを誘導するためのコンテンツが表示されるコンテンツページを表示する。
【０１７５】
本発明の実施形態に係る方法は、多様なコンピュータ手段を介して実施されるプログラム命令の形態で具現され、コンピュータ読み取り可能な記録媒体に記録される。前記コンピュータ読み取り可能な記録媒体は、プログラム命令、データファイル、データ構造などを単独又は組み合わせて含む。前記コンピュータ読み取り可能な記録媒体に記録されるプログラム命令は、本発明の目的のために特別に設計して構成されたものでもよく、コンピュータソフトウェア分野の技術を有する当業者にとって公知のものであり使用可能なものであってもよい。
【０１７６】
上述したように本発明を限定された実施形態と図面によって説明したが、本発明は、上記の実施形態に限定されることなく、本発明が属する分野における通常の知識を有する者であれば、このような実施形態から様々な修正及び変形が可能である。
【０１７７】
したがって、本発明の範囲は、説明された実施形態に限定されて決定されなくてはならず、特許請求の範囲及び特許請求の範囲と均等なものなどによって定められるものである。
【符号の説明】
【０１７８】
１００：メッセンジャーアプリケーション
１０１：プロフィール
１０２〜１０４：アプリケーション
１０５：カバーページ
１０６〜１０９：コンテンツページ
【図１】
0006313438.tif 000002
【図２】
0006313438.tif 000003
【図３】
0006313438.tif 000004
【図４】
0006313438.tif 000005
【図５】
0006313438.tif 000006
【図６】
0006313438.tif 000007
【図７】
0006313438.tif 000008
【図８】
0006313438.tif 000009
【図９】
0006313438.tif 000010
【図１０】
0006313438.tif 000011
【図１１】
0006313438.tif 000012
【図１２】
0006313438.tif 000013
【図１３】
0006313438.tif 000014
【図１４】
0006313438.tif 000015
【図１５】
0006313438.tif 000016
【図１６】
0006313438.tif 000017
【図１７】
0006313438.tif 000018
【図１８】
0006313438.tif 000019